(57)【特許請求の範囲】
【請求項１】
複数のコンテンツで共有しそれぞれを適用し得る代表商品を識別するための商品識別情報及び前記代表商品の価格情報を対応づけて記憶する商品情報記憶手段と、購入対象となる商品を商品情報とともに仮想ショッピングカートに登録する商品登録手段と、前記仮想ショッピングカートに登録されている商品について当該商品の価格情報に基づいて決済処理を行う決済手段と、前記決済手段で決済処理が完了した商品の前記商品情報を含む購入履歴情報を購入履歴情報記憶手段に登録する購入履歴情報登録手段とを備える決済システムと通信可能に接続し、前記決済システムと連携して前記商品の販売を支援する商品販売支援システムであって、
ユーザの端末からの要求に応じて、コンテンツ記憶手段のコンテンツのなかから前記コンテンツを選択するコンテンツ選択手段と、
前記コンテンツ選択手段で選択したコンテンツを適用する前記代表商品の登録を、当該コンテンツに関するコンテンツ情報及び当該代表商品の前記商品識別情報を含む前記商品情報とともに前記商品登録手段に対して要求する商品登録要求手段と、
前記ユーザの端末からの要求に応じて決済処理を前記決済手段に対して要求する決済要求手段とを備えることを特徴とする商品販売支援システム。
【請求項２】
複数のコンテンツで共有しそれぞれを適用し得る代表商品を識別するための商品識別情報及び前記代表商品の価格情報を対応づけて記憶する商品情報記憶手段と、購入対象となる商品を商品情報とともに仮想ショッピングカートに登録する商品登録手段と、前記仮想ショッピングカートに登録されている商品について当該商品の価格情報に基づいて決済処理を行う決済手段と、前記決済手段で決済処理が完了した商品の前記商品情報を含む購入履歴情報を購入履歴情報記憶手段に登録する購入履歴情報登録手段とを備える決済システムと通信可能に接続し、前記決済システムと連携して前記商品の販売を支援する商品販売支援システムであって、
ユーザごとに当該ユーザを識別するためのユーザ識別情報を記憶するユーザ識別情報記憶手段と、
前記ユーザのコンテンツを取得するコンテンツ取得手段と、
前記コンテンツ取得手段で取得したコンテンツを、当該コンテンツに係るユーザの前記ユーザ識別情報と対応づけてコンテンツ記憶手段に登録するコンテンツ登録手段と、
前記ユーザの端末に対し、前記コンテンツ記憶手段のコンテンツのうち他の前記ユーザの前記ユーザ識別情報に対応する前記コンテンツを提示するコンテンツ提示手段と、
前記コンテンツ提示手段で前記コンテンツを提示した前記ユーザの端末からの要求に応じて、前記コンテンツ記憶手段のコンテンツのなかから前記コンテンツを選択するコンテンツ選択手段と、
前記コンテンツ選択手段で選択したコンテンツを適用する前記代表商品の登録を、当該コンテンツに関するコンテンツ情報及び当該代表商品の前記商品識別情報を含む前記商品情報とともに前記商品登録手段に対して要求する商品登録要求手段と、
前記コンテンツの選択要求に係るユーザの端末からの要求に応じて決済処理を前記決済手段に対して要求する決済要求手段とを備えることを特徴とする商品販売支援システム。
【請求項３】
請求項１記載の商品販売支援システムにおける前記決済システムと通信可能に接続し、前記決済システム及び前記コンテンツ記憶手段を利用して前記商品の販売を支援する商品販売支援プログラムであって、
ユーザの端末からの要求に応じて、前記コンテンツ記憶手段のコンテンツのなかから前記コンテンツを選択するコンテンツ選択ステップと、
前記コンテンツ選択ステップで選択したコンテンツを適用する前記代表商品の登録を、当該コンテンツに関するコンテンツ情報及び当該代表商品の前記商品識別情報を含む前記商品情報とともに前記商品登録手段に対して要求する商品登録要求ステップと、
前記ユーザの端末からの要求に応じて決済処理を前記決済手段に対して要求する決済要求ステップとを含む処理をコンピュータに実行させるためのプログラムであることを特徴とする商品販売支援プログラム。
【請求項４】
請求項２記載の商品販売支援システムにおける前記決済システムと通信可能に接続し、前記決済システム、前記ユーザ識別情報記憶手段及び前記コンテンツ記憶手段を利用して前記商品の販売を支援する商品販売支援プログラムであって、
前記ユーザのコンテンツを取得するコンテンツ取得ステップと、
前記コンテンツ取得ステップで取得したコンテンツを、当該コンテンツに係るユーザの前記ユーザ識別情報と対応づけて前記コンテンツ記憶手段に登録するコンテンツ登録ステップと、
前記ユーザの端末に対し、前記コンテンツ記憶手段のコンテンツのうち他の前記ユーザの前記ユーザ識別情報に対応する前記コンテンツを提示するコンテンツ提示ステップと、
前記コンテンツ提示ステップで前記コンテンツを提示した前記ユーザの端末からの要求に応じて、前記コンテンツ記憶手段のコンテンツのなかから前記コンテンツを選択するコンテンツ選択ステップと、
前記コンテンツ選択ステップで選択したコンテンツを適用する前記代表商品の登録を、当該コンテンツに関するコンテンツ情報及び当該代表商品の前記商品識別情報を含む前記商品情報とともに前記商品登録手段に対して要求する商品登録要求ステップと、
前記コンテンツの選択要求に係るユーザの端末からの要求に応じて決済処理を前記決済手段に対して要求する決済要求ステップとを含む処理をコンピュータに実行させるためのプログラムであることを特徴とする商品販売支援プログラム。
【請求項５】
請求項１記載の商品販売支援システムにおける前記決済システムと通信可能に接続し、前記決済システム及び前記コンテンツ記憶手段を利用して前記商品の販売を支援する商品販売支援方法であって、
コンテンツ選択手段が、ユーザの端末からの要求に応じて、前記コンテンツ記憶手段のコンテンツのなかから前記コンテンツを選択するコンテンツ選択ステップと、
商品登録要求手段が、前記コンテンツ選択ステップで選択したコンテンツを適用する前記代表商品の登録を、当該コンテンツに関するコンテンツ情報及び当該代表商品の前記商品識別情報を含む前記商品情報とともに前記商品登録手段に対して要求する商品登録要求ステップと、
決済要求手段が、前記ユーザの端末からの要求に応じて決済処理を前記決済手段に対して要求する決済要求ステップとを含むことを特徴とする商品販売支援方法。
【請求項６】
請求項２記載の商品販売支援システムにおける前記決済システムと通信可能に接続し、前記決済システム、前記ユーザ識別情報記憶手段及び前記コンテンツ記憶手段を利用して前記商品の販売を支援する商品販売支援方法であって、
コンテンツ取得手段が、前記ユーザのコンテンツを取得するコンテンツ取得ステップと、
コンテンツ登録手段が、前記コンテンツ取得ステップで取得したコンテンツを、当該コンテンツに係るユーザの前記ユーザ識別情報と対応づけて前記コンテンツ記憶手段に登録するコンテンツ登録ステップと、
コンテンツ提示手段が、前記ユーザの端末に対し、前記コンテンツ記憶手段のコンテンツのうち他の前記ユーザの前記ユーザ識別情報に対応する前記コンテンツを提示するコンテンツ提示ステップと、
コンテンツ選択手段が、前記コンテンツ提示ステップで前記コンテンツを提示した前記ユーザの端末からの要求に応じて、前記コンテンツ記憶手段のコンテンツのなかから前記コンテンツを選択するコンテンツ選択ステップと、
商品登録要求手段が、前記コンテンツ選択ステップで選択したコンテンツを適用する前記代表商品の登録を、当該コンテンツに関するコンテンツ情報及び当該代表商品の前記商品識別情報を含む前記商品情報とともに前記商品登録手段に対して要求する商品登録要求ステップと、
決済要求手段が、前記コンテンツの選択要求に係るユーザの端末からの要求に応じて決済処理を前記決済手段に対して要求する決済要求ステップとを含むことを特徴とする商品販売支援方法。
【発明の詳細な説明】
【技術分野】
【０００１】
本発明は、決済システムと連携して商品の販売を支援するシステム及びプログラム、並びに方法に係り、特に、開発コストを低減するのに好適な商品販売支援システム及び商品販売支援プログラム、並びに商品販売支援方法に関する。
【背景技術】
【０００２】
近年、スマートフォン（以下、「スマホ」と略記する。）の普及により、ＥＣ（Electronic Commerce）サイトで消費者が商品を購入する際の使用端末としてスマホを利用することが増大しつつある。【０００３】
これに対して、大手ＥＣサイトは、標準ブラウザのスマホ利用からスマホ向けのサイト最適化、そしてスマホ向けＥＣアプリの提供に進みつつあるが、標準ブラウザのスマホ利用やスマホ向けのサイト最適化はもとより、どのような商品にも対応しようとするスマホ向けＥＣアプリは、スマホという特殊性から操作難易度が高くなりがちであり、効果的なスマホによる販売促進にはなっていない。【０００４】
こうした状況により、大手ＥＣサイトに出店している個別店舗や細分化したＥＣサイトが、ソーシャルネットワーキングサービス（以下「ＳＮＳ」と略記する。）機能なども搭載した独自のスマホＥＣアプリを提供することで、差別化を図り販売競争力を高める機会が生まれてきている。【０００５】
しかし、独自のスマホＥＣアプリの開発に際しては、支払い決済機能や販売管理のセキュリティ確保が、中小企業であることが多い個別店舗や細分化したＥＣサイトにとって、開発コスト上の大きな負担となっていて、絶好の機会を生かしきれていない。特許文献１記載の技術は、ＥＣサイトで採用される決済システムである。
【先行技術文献】
【特許文献】
【０００６】
【特許文献１】特開２００４−８６７７７号公報
【発明の概要】
【発明が解決しようとする課題】
【０００７】
購入者のニーズを分析した結果、大手ＥＣサイトと、特定商品に特化・細分化したＥＣサイト（以下、「細分化ＥＣサイト」という。）のメリットは、図１に示すとおりである。【０００８】
図１は、大手ＥＣサイトと細分化ＥＣサイトについて購入者にとってのメリットを対比した対比図である。【０００９】
大手ＥＣサイトのメリットについては、次の３点が挙げられる。第１に、店舗数、商品数、商品種類が多く、ショッピング選択範囲が広い。第２に、決済のセキュリティ面に安心できる。第３に、信頼度は高いユーザサポート、アフターケアと思われる。【００１０】
細分化ＥＣサイトのメリットについては、次の２点が挙げられる。第１に、店舗、商品など細分化され、より明確的なショッピング体験ができる。第２に、ＳＮＳ（Social Networking Service）機能を含め、特定商品の特定付加サービスを体験できる。【００１１】
購入者のニーズを分析した結果、大手ＥＣサイトと細分化ＥＣサイトのデメリットは、図２に示すとおりである。【００１２】
図２は、大手ＥＣサイトと細分化ＥＣサイトについて購入者にとってのデメリットを対比した対比図である。【００１３】
大手ＥＣサイトのデメリットについては、次の２点が挙げられる。第１に、店舗数、商品種類、商品数が多過ぎ、検索機能を利用しても、欲しいものを見つけるのは手間がかかる。第２に、興味、スタイルなど共通した購入者同士間のコミュニケーション手段がすくない。ショッピング以外のユーザ体験の楽しさが味わえない。【００１４】
細分化ＥＣサイトのデメリットについては、次の３点が挙げられる。第１に、細分化ＥＣサイトの数がまだ少なく、選択可能な店舗、商品はすくない。第２に、決済のセキュリティ面に不安がある。第３に、中小企業のＥＣサイトなので、ユーザサポート、アフターケアに対する信頼感が薄い。【００１５】
また、販売者のニーズを分析した結果、大手ＥＣサイトと細分化ＥＣサイトのメリットは、図３に示すとおりである。【００１６】
図３は、大手ＥＣサイトと細分化ＥＣサイトについて販売者にとってのメリットを対比した対比図である。【００１７】
大手ＥＣサイトのメリットについては、次の３点が挙げられる。第１に、全店舗向けのベースユーザ数を確保できる。第２に、最小コストで開店と店舗運営できる。第３に、ポイント、キャンペーンなど全店舗共通付加サービスを直接に利用可能である。【００１８】
細分化ＥＣサイトのメリットについては、次の２点が挙げられる。第１に、ユーザ数は少ないが、細分化したジャンルに特有ユーザを確保できる。第２に、細分化した商品、特有ユーザの特性により、ＳＮＳなど最適化付加サービスを随時に提供できる。【００１９】
販売者のニーズを分析した結果、大手ＥＣサイトと細分化ＥＣサイトのデメリットは、図４に示すとおりである。【００２０】
図４は、大手ＥＣサイトと細分化ＥＣサイトについて販売者にとってのデメリットを対比した対比図である。【００２１】
大手ＥＣサイトのデメリットについては、次の２点が挙げられる。第１に、店舗が多く、横並び、縦検索などことにより、価格面、ブランド面などの競争が激しく、個別店舗の特有ユーザの確保は難しい。第２に、全店舗向けの共通付加サービス以外の販売商品、特有ユーザの特性向けの個別付加サービスの提供は難しい。【００２２】
細分化ＥＣサイトのデメリットについては、次の３点が挙げられる。第１に、商品展示から販売管理まで機能を網羅できるアプリの制作費用が高い。第２に、付加サービスを追加する開発コストと運用コストが高い。第３に、ブランド効果がなく、新規ユーザとの信頼関係をすぐ築けない。【００２３】
そこで、本発明は、このような従来の技術の有する未解決の課題に着目してなされたものであって、開発コストを低減するのに好適な商品販売支援システム及び商品販売支援プログラム、並びに商品販売支援方法を提供することを目的としている。
【課題を解決するための手段】
【００２４】
〔発明１〕  上記目的を達成するために、発明１の商品販売支援システムは、複数のコンテンツで共有しそれぞれを適用し得る代表商品を識別するための商品識別情報及び前記代表商品の価格情報を対応づけて記憶する商品情報記憶手段と、購入対象となる商品を商品情報とともに仮想ショッピングカートに登録する商品登録手段と、前記仮想ショッピングカートに登録されている商品について当該商品の価格情報に基づいて決済処理を行う決済手段と、前記決済手段で決済処理が完了した商品の前記商品情報を含む購入履歴情報を購入履歴情報記憶手段に登録する購入履歴情報登録手段とを備える決済システムと通信可能に接続し、前記決済システムと連携して前記商品の販売を支援する商品販売支援システムであって、ユーザごとに当該ユーザを識別するためのユーザ識別情報を記憶するユーザ識別情報記憶手段と、前記ユーザのコンテンツを取得するコンテンツ取得手段と、前記コンテンツ取得手段で取得したコンテンツを、当該コンテンツに係るユーザの前記ユーザ識別情報と対応づけてコンテンツ記憶手段に登録するコンテンツ登録手段と、前記ユーザの端末に対し、前記コンテンツ記憶手段のコンテンツのうち他の前記ユーザの前記ユーザ識別情報に対応する前記コンテンツを提示するコンテンツ提示手段と、前記コンテンツ提示手段で前記コンテンツを提示した前記ユーザの端末からの要求に応じて、前記コンテンツ記憶手段のコンテンツのなかから前記コンテンツを選択するコンテンツ選択手段と、前記コンテンツ選択手段で選択したコンテンツを適用する前記代表商品の登録を、当該コンテンツに関するコンテンツ情報及び当該代表商品の前記商品識別情報を含む前記商品情報とともに前記商品登録手段に対して要求する商品登録要求手段と、前記コンテンツの選択要求に係るユーザの端末からの要求に応じて決済処理を前記決済手段に対して要求する決済要求手段とを備える。
【００２５】
このような構成であれば、コンテンツを提供する場合は、コンテンツ取得手段により、ユーザ（コンテンツ提供ユーザ）のコンテンツが取得され、コンテンツ登録手段により、取得されたコンテンツが、コンテンツ提供ユーザのユーザ識別情報と対応づけられてコンテンツ記憶手段に登録される。【００２６】
コンテンツを利用する場合は、まず、コンテンツ提示手段により、ユーザ（コンテンツ利用ユーザ）の端末に対し、コンテンツ記憶手段のコンテンツのうち他のユーザのユーザ識別情報に対応するコンテンツが提示される。次いで、コンテンツ利用ユーザの端末から選択要求を受けると、コンテンツ選択手段により、その選択要求に応じて、コンテンツ記憶手段のコンテンツのなかからコンテンツが選択され、商品登録要求手段により、選択されたコンテンツを適用する代表商品の登録が、そのコンテンツのコンテンツ情報及びその代表商品の商品識別情報を含む商品情報とともに商品登録手段に対して要求される。決済システムでは、商品登録手段により、与えられたコンテンツ情報及び商品識別情報を含む商品情報とともに代表商品が仮想ショッピングカートに登録される。そして、コンテンツ利用ユーザの端末から決済要求を受けると、決済要求手段により、その決済要求に応じて決済処理が決済手段に対して要求される。決済システムでは、決済手段により、仮想ショッピングカートに登録されている代表商品についてその代表商品の価格情報に基づいて決済処理が行われ、購入履歴情報登録手段により、決済処理が完了した代表商品の商品情報を含む購入履歴情報が購入履歴情報記憶手段に登録される。【００２７】
ここで、コンテンツとしては、例えば、画像（静止画像若しくは動画像）、映像、テキスト、音楽、プログラム又はデータが含まれる。【００２８】
また、コンテンツ情報としては、例えば、コンテンツそのもの、コンテンツの属性を示す属性情報、コンテンツを識別するための識別情報、又はコンテンツへのリンク情報が含まれる。【００２９】
また、コンテンツ取得手段は、例えば、入力装置等からコンテンツを入力してもよいし、外部の端末等からコンテンツを獲得又は受信してもよいし、記憶装置や記憶媒体等からコンテンツを読み出してもよいし、情報処理等によりコンテンツを生成し又は算出してもよい。したがって、取得には、少なくとも入力、獲得、受信、読出（検索を含む。）、生成及び算出が含まれる。以下、取得の概念については同じである。【００３０】
また、商品情報記憶手段において、商品識別情報及び価格情報を対応づけて記憶することとしては、例えば、（１）商品識別情報及び価格情報を同一のレコードに登録するなど、直接対応づけて記憶すること、（２）商品識別情報及び中間情報を対応づけて登録するテーブルと、価格情報及び中間情報を対応づけて登録するテーブルを設けるなど、中間に１又は複数の情報を介して記憶することが含まれる。すなわち、商品識別情報から価格情報を辿ることができる態様であれば、あらゆるデータ構造を採用することができる。以下、情報を対応づけて記憶する概念については同じである。【００３１】
また、商品情報記憶手段は、商品識別情報及び価格情報をあらゆる手段で且つあらゆる時期に記憶するものであり、商品識別情報及び価格情報を予め記憶してあるものであってもよいし、商品識別情報及び価格情報を予め記憶することなく、本システムの動作時に外部からの入力等によって商品識別情報及び価格情報を記憶するようになっていてもよい。購入履歴情報記憶手段、ユーザ識別情報記憶手段及びコンテンツ記憶手段についても同様である。以下、発明２の商品販売支援プログラム、及び発明３の商品販売支援方法において同じである。【００３２】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。決済システムについても同様である。【００３３】
〔発明２〕  一方、上記目的を達成するために、発明２の商品販売支援プログラムは、発明１の商品販売支援システムにおける前記決済システムと通信可能に接続し、前記決済システム、前記ユーザ識別情報記憶手段及び前記コンテンツ記憶手段を利用して前記商品の販売を支援する商品販売支援プログラムであって、前記ユーザのコンテンツを取得するコンテンツ取得ステップと、前記コンテンツ取得ステップで取得したコンテンツを、当該コンテンツに係るユーザの前記ユーザ識別情報と対応づけて前記コンテンツ記憶手段に登録するコンテンツ登録ステップと、前記ユーザの端末に対し、前記コンテンツ記憶手段のコンテンツのうち他の前記ユーザの前記ユーザ識別情報に対応する前記コンテンツを提示するコンテンツ提示ステップと、前記コンテンツ提示ステップで前記コンテンツを提示した前記ユーザの端末からの要求に応じて、前記コンテンツ記憶手段のコンテンツのなかから前記コンテンツを選択するコンテンツ選択ステップと、前記コンテンツ選択ステップで選択したコンテンツを適用する前記代表商品の登録を、当該コンテンツに関するコンテンツ情報及び当該代表商品の前記商品識別情報を含む前記商品情報とともに前記商品登録手段に対して要求する商品登録要求ステップと、前記コンテンツの選択要求に係るユーザの端末からの要求に応じて決済処理を前記決済手段に対して要求する決済要求ステップとを含む処理をコンピュータに実行させるためのプログラムである。【００３４】
このような構成であれば、コンピュータによってプログラムが読み取られ、読み取られたプログラムに従ってコンピュータが処理を実行すると、発明１の商品販売支援システムと同等の作用が得られる。【００３５】
〔発明３〕  一方、上記目的を達成するために、発明３の商品販売支援方法は、発明１の商品販売支援システムにおける前記決済システムと通信可能に接続し、前記決済システム、前記ユーザ識別情報記憶手段及び前記コンテンツ記憶手段を利用して前記商品の販売を支援する商品販売支援方法であって、コンテンツ取得手段が、前記ユーザのコンテンツを取得するコンテンツ取得ステップと、コンテンツ登録手段が、前記コンテンツ取得ステップで取得したコンテンツを、当該コンテンツに係るユーザの前記ユーザ識別情報と対応づけて前記コンテンツ記憶手段に登録するコンテンツ登録ステップと、コンテンツ提示手段が、前記ユーザの端末に対し、前記コンテンツ記憶手段のコンテンツのうち他の前記ユーザの前記ユーザ識別情報に対応する前記コンテンツを提示するコンテンツ提示ステップと、コンテンツ選択手段が、前記コンテンツ提示ステップで前記コンテンツを提示した前記ユーザの端末からの要求に応じて、前記コンテンツ記憶手段のコンテンツのなかから前記コンテンツを選択するコンテンツ選択ステップと、商品登録要求手段が、前記コンテンツ選択ステップで選択したコンテンツを適用する前記代表商品の登録を、当該コンテンツに関するコンテンツ情報及び当該代表商品の前記商品識別情報を含む前記商品情報とともに前記商品登録手段に対して要求する商品登録要求ステップと、決済要求手段が、前記コンテンツの選択要求に係るユーザの端末からの要求に応じて決済処理を前記決済手段に対して要求する決済要求ステップとを含む。
【発明の効果】
【００３６】
以上説明したように、発明１の商品販売支援システム、発明２の商品販売支援プログラム、又は発明３の商品販売支援方法によれば、大手ＥＣサイトが提供している支払い決済機能と連携することで、個別店舗や細分化ＥＣサイトにおける独自の購入アプリの開発コストを低減し、個別の付加サービスの提供等により販売競争力強化の機会を与え、大手ＥＣサイトにおける手数料増加をもたらすという双方のＷｉｎ−Ｗｉｎの関係を築くことができる。また、大手ＥＣサイトに１つの代表商品を登録しておけば、複数のコンテンツに対応することができるので、コンテンツが増えても大手ＥＣサイトでの登録商品数を抑えることができる。
【図面の簡単な説明】
【００３７】
【図１】大手ＥＣサイトと細分化ＥＣサイトについて購入者にとってのメリットを対比した対比図である。
【図２】大手ＥＣサイトと細分化ＥＣサイトについて購入者にとってのデメリットを対比した対比図である。
【図３】大手ＥＣサイトと細分化ＥＣサイトについて販売者にとってのメリットを対比した対比図である。
【図４】大手ＥＣサイトと細分化ＥＣサイトについて販売者にとってのデメリットを対比した対比図である。
【図５】本実施の形態のポイントを説明するための図である。
【図６】大手ＥＣサイト及び細分化ＥＣサイトの機能構成図を対比した対比図である。
【図７】大手ＥＣサイト及び連携型ＥＣサイトの機能構成図を対比した対比図である。
【図８】本実施の形態のシステム全体のイメージ図である。
【図９】本実施の形態のシステム全体のイメージ図である。
【図１０】本発明を適用するネットワークシステムの構成を示すブロック図である。
【図１１】商品のタイプを説明するための対比表である。
【図１２】大手ＥＣサイトサーバ１２０が決済処理に利用する商品情報管理テーブル４８０のデータ構造を示す図である。
【図１３】連携型ＥＣサイトサーバ１００のハードウェア構成を示す図である。
【図１４】ログイン情報管理テーブル４００のデータ構造を示す図である。
【図１５】作品管理テーブル４６０のデータ構造を示す図である。
【図１６】連携型ＥＣサイトサーバ１００にログインする動作を説明するためのフローチャートである。
【図１７】作品を投稿する動作を説明するためのフローチャートである。
【図１８】作品を利用する動作を説明するためのフローチャートである。
【図１９】作品を利用する場合の画面遷移図である。
【図２０】本実施の形態の第１の効果を説明するための図である。
【図２１】本実施の形態の第２の効果を説明するための図である。
【図２２】本実施の形態の第３の効果を説明するための図である。
【図２３】本実施の形態の第４の効果を説明するための図である。
【図２４】本実施の形態の第１の応用例を説明するための図である。
【図２５】本実施の形態の第２の応用例を説明するための図である。
【図２６】本実施の形態の第３の応用例を説明するための図である。
【図２７】本実施の形態の第４の応用例を説明するための図である。
【図２８】本実施の形態の第５の応用例を説明するための図である。
【発明を実施するための形態】
【００３８】
以下、本発明の実施の形態を説明する。
まず、本実施の形態の概要を説明する。
図５は、本実施の形態のポイントを説明するための図である。
【００３９】
本実施の形態のポイントは、図５に示すように、個別店舗や細分化ＥＣサイトが提供するスマホを利用した独自の購入アプリと、大手ＥＣサイトの決済機能・販売管理機能の連携の仕組みである。
【００４０】
商品の選択から購入までをスマホアプリ側で購入者に行ってもらい、その情報を大手ＥＣサイトに開設した店舗のカート情報に連携させ、支払い決済に関する機能と決済後の販売管理機能や共通付加サービスは大手ＥＣサイトの機能を活用できる仕組みを作り、さらに、大手ＥＣサイトからの販売管理情報をスマホアプリのバックグランドシステムとして用意する統合販売管理・運用機能に連携させる仕組みである。
【００４１】
大手ＥＣサイトは販売手数料の外部流出を防ぐことが可能となるとともに、スマホ効果による手数料増加という効果が得られ、個別店舗や細分化ＥＣサイトは、使いやすいアプリ機能や個別付加サービス機能の充実に注力する販売促進が可能となり、購入者はいっそう便利で楽しいスマホショッピングが楽しめるようになる。
【００４２】
図６は、大手ＥＣサイト及び細分化ＥＣサイトの機能構成図を対比した対比図である。
図７は、大手ＥＣサイト及び連携型ＥＣサイトの機能構成図を対比した対比図である。
【００４３】
大手ＥＣサイトは、図６に示すように、商品展示の機能、カート・決済の機能、販売管理の機能及び全店舗共通付加サービスの提供機能を有している。また、細分化ＥＣサイトは、商品展示の機能、カート・決済の機能、販売管理の機能及び個別付加サービスの提供機能を有している。
【００４４】
これに対し、本実施の形態に係る連携型ＥＣサイトは、図７に示すように、細分化ＥＣサイトと同様に、商品展示の機能及び個別付加サービスの提供機能を有している。また、カート・決済の機能に代えて、大手ＥＣサイトのカート・決済の機能と連携する連携インターフェース１の機能を有している。また、販売管理の機能に代えて、大手ＥＣサイトの販売管理の機能と連携する連携インターフェース２の機能を有している。
【００４５】
図８は、本実施の形態のシステム全体のイメージ図である。図８は、特に、商品展示の機能及びカート・決済の機能に関する内容である。
【００４６】
大手ＥＣサイトにおいて、連携型スマホＥＣアプリのダウンロードを誘導する。ユーザは、自己のスマホにおいて連携型スマホＥＣアプリをダウンロードしインストールする。これにより、ユーザのスマホで連携型ＥＣサイトを利用可能となる。
【００４７】
連携型ＥＣサイトは、ＳＮＳを提供する。ユーザは、ＳＮＳにおいて、商品（例えば、「Ｔシャツ」）にプリントする画像を作品として投稿したり、他のユーザが投稿した作品のなかから商品にプリントしたい作品を選択し商品を購入したりすることができる。連携型ＥＣサイトでは、商品を購入する場合、連携インターフェース１の機能により、ユーザが選択した作品をプリントする商品の登録を、その作品の作品ＩＤ（後述）及びその商品の商品ＩＤ（後述）を含む商品情報とともに大手ＥＣサイトに対して要求する。大手ＥＣサイトでは、与えられた商品情報とともに商品を仮想ショッピングカートに登録する。そして、連携型ＥＣサイトでは、ユーザのスマホから決済要求を受けると、連携インターフェース２の機能により、その決済要求に応じて決済処理を大手ＥＣサイトに対して要求する。大手ＥＣサイトでは、仮想ショッピングカートに登録されている商品についてその商品の価格情報に基づいて決済処理を行う。
【００４８】
大手ＥＣサイトでは、決済が完了すると、商品が発注され、作品をプリントした商品がユーザに配送される。
【００４９】
ユーザは、他のユーザが自己の作品をプリントした商品が購入すると、その商品の売上の一部をロイヤリティとして受け取ることができる。
【００５０】
図９は、本実施の形態のシステム全体のイメージ図である。図９は、特に、販売管理の機能に関する内容である。
【００５１】
連携型ＥＣサイトは、商品販売・注文データを大手ＥＣサイトに提供し、商品・付加サービスデータを販売管理端末に提供する。大手ＥＣサイトは、商品販売・注文データを販売管理端末に提供する。
【００５２】
販売管理端末は、商品販売・注文・付加サービスデータを連携型ＥＣサイトに提供する。また、販売管理端末は、連携型ＥＣサイトからの商品・付加サービスデータ及び大手ＥＣサイトからの商品販売・注文データを集計し統計情報を生成することで、運営対策・マーケティング分析を可能とする。
【００５３】
次に、本発明を適用するネットワークシステムの構成を説明する。
図１０は、本発明を適用するネットワークシステムの構成を示すブロック図である。
【００５４】
インターネット１９９には、図１０に示すように、ＳＮＳを提供する連携型ＥＣサイトサーバ１００と、ショッピングサイトを提供する大手ＥＣサイトサーバ１２０と、商品の販売を管理する販売管理端末１４０と、スマホ２００とインターネット１９９との通信を中継する中継局２２０とが接続されている。
【００５５】
中継局２２０には、スマホ２００と無線通信を行う複数の基地局２１０が接続されており、中継局２２０は、スマホ２００がインターネット１９９に接続するときは、スマホ２００に代わってインターネット１９９上での一端末となって、基地局２１０を介して受信したスマホ２００からのデータをインターネット１９９を介して目的の端末に送信するとともに、インターネット１９９上にある目的の端末のデータを基地局２１０を介してスマホ２００に送信する。
【００５６】
大手ＥＣサイトサーバ１２０は、例えば、ＣＰＵ（Central Processing Unit）、ＲＯＭ（Read Only Memory）、ＲＡＭ（Random Access Memory）及びＩ／Ｆ（InterFace）等をバス接続した一般的なコンピュータと同一機能を有して構成されている。大手ＥＣサイトサーバ１２０は、主に支払い決済機能を有し、支払い決済機能としては、購入対象となる商品を商品情報とともに仮想ショッピングカートに登録する商品登録手段と、仮想ショッピングカートに登録されている商品についてその商品の価格情報に基づいて決済処理を行う決済手段と、決済手段で決済処理が完了した商品の商品情報を含む購入履歴情報をデータベースに登録する購入履歴情報登録手段を備える。大手ＥＣサイトサーバ１２０の構成としては、例えば、Ｙａｈｏｏ！（http://shopping.yahoo.co.jp/）、楽天（http://www.rakuten.co.jp/）、Ａｍａｚｏｎ（http://www.amazon.co.jp/）等の公知のＥＣサイトサーバの構成を採用することができる。
【００５７】
販売管理端末１４０は、例えば、ＣＰＵ、ＲＯＭ、ＲＡＭ及びＩ／Ｆ等をバス接続した一般的なコンピュータと同一機能を有して構成されている。
【００５８】
次に、商品のタイプを説明する。
図１１は、商品のタイプを説明するための対比表である。
【００５９】
本実施の形態では、図１１に示すように、大手ＥＣサイトの個別商品、連携型ＥＣサイトの個別商品及び大手ＥＣサイトの代表商品の３つのタイプがある。
【００６０】
大手ＥＣサイトの個別商品は、大手ＥＣサイトで展示し販売される商品であって、大手ＥＣサイトにアクセスしたユーザが購入することができるものである。大手ＥＣサイトでは、ユーザに対して公開され、商品ごとに商品の画像が表示される。公知のＥＣサイトで販売される商品と同じである。
【００６１】
連携型ＥＣサイトの個別商品は、連携型ＥＣサイトで展示し販売される個々の作品に対応する商品であって、連携型ＥＣサイトにアクセスしたユーザが購入することができるものである。連携型ＥＣサイトでは、ユーザに対して公開され、作品ごとに商品の画像が表示される。
【００６２】
大手ＥＣサイトの代表商品は、複数の作品で共有しそれぞれをプリントし得る商品である。例えば、代表商品として「Ｔシャツ」を登録しておき、連携型ＥＣサイトのユーザが、作品１をプリントしたＴシャツを販売したい場合は、作品１と代表商品「Ｔシャツ」を対応づけ、また、連携型ＥＣサイトのユーザが、作品２をプリントしたＴシャツを販売したい場合は、作品２と代表商品「Ｔシャツ」を対応づける。これにより、大手ＥＣサイトに１つの代表商品を登録しておけば、複数の作品に対応することができるので、連携型ＥＣサイトで作品が増えても大手ＥＣサイトでの登録商品数を抑えることができる。このように、連携型ＥＣサイトの個別商品は、代表商品に対応づけられ、代表商品として仮想ショッピングカートに登録される。代表商品は、大手ＥＣサイトにおいて、大手ＥＣサイトの個別商品と一緒に管理される。ただし、大手ＥＣサイトでは、ユーザに対して非公開とされるので、大手ＥＣサイトにアクセスしたユーザが直接購入することはできない。商品の画像も便宜なものであり、対応づけられる作品に対し共通の画像が設定される。
【００６３】
次に、大手ＥＣサイトサーバ１２０のデータ構造を説明する。
図１２は、大手ＥＣサイトサーバ１２０が決済処理に利用する商品情報管理テーブル４８０のデータ構造を示す図である。
【００６４】
大手ＥＣサイトサーバ１２０のデータベースは、図１２に示すように、商品情報管理テーブル４８０を記憶している。
【００６５】
商品情報管理テーブル４８０には、購入対象となる商品ごとに１つのレコードが登録されている。各レコードは、商品を識別するための商品ＩＤを登録するフィールド４８２と、商品名を登録するフィールド４８４と、商品の価格を登録するフィールド４８６と、ユーザに対する公開又は非公開を登録するフィールド４８８とを含んで構成されている。
【００６６】
図１２の例では、商品ＩＤ「G001」〜「G018」が代表商品であり、複数の作品で共有されそれぞれがプリントされ得る。例えば、ユーザが、男性向けＳサイズの白色のＴシャツに作品１をプリントして販売したい場合、作品１は、商品ＩＤ「G001」の代表商品に対応づける。この場合、作品１と代表商品の組み合わせからなる個別商品は、作品１の作品ＩＤ（後述）と代表商品の商品ＩＤで特定することができる。また、他のユーザが、男性向けＳサイズの白色のＴシャツに作品２をプリントして販売したい場合、作品２は同様に、商品ＩＤ「G001」の代表商品に対応づける。この場合、作品２と代表商品の組み合わせからなる個別商品は、作品２の作品ＩＤと代表商品の商品ＩＤで特定することができる。他の例として、ユーザが、女性向けＳサイズの黒色のＴシャツに作品３をプリントして販売したい場合、作品３は、商品ＩＤ「G010」の代表商品に対応づける。また、他のユーザが、女性向けＳサイズの黒色のＴシャツに作品４をプリントして販売したい場合、作品４は同様に、商品ＩＤ「G010」の代表商品に対応づける。
【００６７】
図１２の例では、商品ＩＤ「G101」〜「G103」が個別商品であり、大手ＥＣサイトにアクセスしたユーザが購入することができる。
【００６８】
次に、連携型ＥＣサイトサーバ１００の構成を説明する。
図１３は、連携型ＥＣサイトサーバ１００のハードウェア構成を示す図である。
【００６９】
連携型ＥＣサイトサーバ１００は、図１３に示すように、制御プログラムに基づいて演算及びシステム全体を制御するＣＰＵ３０と、所定領域に予めＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互に且つデータ授受可能に接続されている。
【００７０】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４と、インターネット１９９に接続するための信号線とが接続されている。
【００７１】
次に、記憶装置４２のデータ構造を説明する。
図１４は、ログイン情報管理テーブル４００のデータ構造を示す図である。
【００７２】
記憶装置４２は、図１４に示すように、ログイン情報管理テーブル４００を記憶している。
【００７３】
ログイン情報管理テーブル４００には、ユーザごとに１つのレコードが登録されている。各レコードは、ログインＩＤを登録するフィールド４０２と、パスワードを登録するフィールド４０４と、ユーザを識別するためのユーザＩＤを登録するフィールド４０６とを含んで構成されている。
【００７４】
図１５は、作品管理テーブル４６０のデータ構造を示す図である。
記憶装置４２は、図１５に示すように、作品管理テーブル４６０を記憶している。
【００７５】
作品管理テーブル４６０には、作品ごとに１つのレコードが登録されている。各レコードは、作品を識別するための作品ＩＤを登録するフィールド４６２と、作品をプリントする代表商品の商品ＩＤを登録するフィールド４７４と、作品を投稿したユーザを識別するためのユーザＩＤを登録するフィールド４６４と、作品を投稿した日時を登録するフィールド４６６と、作品のタイトルを登録するフィールド４６８と、作品の本文（テキスト）を登録するフィールド４７０と、作品である画像（画像データのファイル名）を登録するフィールド４７２とを含んで構成されている。
【００７６】
次に、ＣＰＵ３０の構成を説明する。
ＣＰＵ３０は、ＭＰＵ（Micro-Processing Unit）等からなり、ＲＯＭ３２の所定領域に格納されているプログラムを起動させ、そのプログラムに従って、ＳＮＳを提供するための各種処理を実行する。各種処理は、後述する本実施の形態の動作において説明する。
【００７７】
次に、本実施の形態の動作を説明する。
まず、連携型ＥＣサイトサーバ１００にログインする動作を説明する。
【００７８】
図１６は、連携型ＥＣサイトサーバ１００にログインする動作を説明するためのフローチャートである。
【００７９】
ユーザは、スマホ２００において、連携型スマホＥＣアプリにより連携型ＥＣサイトサーバ１００にアクセスすると、ログイン画面が表示される。ユーザは、ログイン画面において、図１６に示すように、ログインＩＤを入力し（ステップＳ１００）、パスワードを入力し（ステップＳ１０２）、「ログイン」のボタンをクリックすると（ステップＳ１０４）、連携型ＥＣサイトサーバ１００にログインすることができる。
【００８０】
次に、ユーザが作品を投稿する動作を説明する。
図１７は、作品を投稿する動作を説明するためのフローチャートである。
【００８１】
ユーザは、ＳＮＳにおいて商品にプリントする画像を作品として投稿する場合、ＳＮＳのメイン画面において、図１７に示すように、「作品投稿」のボタンをクリックすると（ステップＳ１５０）、作品を投稿する画面が表示される。ユーザは、作品投稿画面において、タイトルを入力し（ステップＳ１５２）、テキストを入力し（ステップＳ１５４）、作品である画像を入力するとともに作品をプリントする代表商品を選択し（ステップＳ１５６）、「投稿する」のボタンをクリックすると（ステップＳ１５８）、作品が投稿される。
【００８２】
連携型ＥＣサイトサーバ１００では、作品が投稿されると、投稿された作品が、その作品に係るユーザのユーザＩＤ及び選択された代表商品の商品ＩＤと対応づけられて作品管理テーブル４６０に登録される。
【００８３】
次に、ユーザが他のユーザの作品を利用する動作を説明する。
図１８は、作品を利用する動作を説明するためのフローチャートである。
【００８４】
図１９は、作品を利用する場合の画面遷移図である。
ＳＮＳのタイムライン等の画面では、他のユーザが投稿した作品が表示されるので、ユーザは、それら作品のなかから商品にプリントしたい作品がある場合、図１８及び図１９に示すように、作品を選択し（ステップＳ２００）、「カートに入れる」のボタンをクリックすると（ステップＳ２０２）、商品登録要求処理が行われる（ステップＳ２０４）。商品登録要求処理では、選択された作品をプリントする代表商品の登録が、その作品の作品ＩＤ及びその代表商品の商品ＩＤを含む商品情報とともに大手ＥＣサイトサーバ１２０の商品登録手段に対して要求される。選択された作品の作品ＩＤ及び選択された作品をプリントする代表商品の商品ＩＤは、作品管理テーブル４６０において、その作品が登録されているレコードから検索される。
【００８５】
大手ＥＣサイトサーバ１２０では、商品登録手段により、与えられた作品ＩＤ及び商品ＩＤを含む商品情報とともに代表商品が仮想ショッピングカートに登録される。
【００８６】
ユーザは、作品の選択が完了し、「購入」をクリックすると（ステップＳ２０６）、決済要求処理が行われる（ステップＳ２０８）。決済要求処理では、決済処理が決済手段に対して要求される。
【００８７】
大手ＥＣサイトサーバ１２０では、決済手段により、仮想ショッピングカートに登録されている代表商品についてその代表商品の価格情報に基づいて決済処理が行われ、購入履歴情報登録手段により、決済処理が完了した代表商品の商品情報を含む購入履歴情報がデータベースに登録される。
【００８８】
次に、本実施の形態の効果を説明する。
図２０は、本実施の形態の第１の効果を説明するための図である。
【００８９】
本実施の形態によれば、マルチ商品展示入り口による、販売ルート多元化とマルチユーザ誘導ルートによる潜在ユーザの確保が実現できる。
【００９０】
連携型ＥＣサイトが２つある場合を想定すると、具体的には、図２０に示すようになる。
【００９１】
第１連携型ＥＣサイトでは、商品カテゴリ２の商品に関する作品をＳＮＳで閲覧することができるので、大手ＥＣサイトと第１連携型ＥＣサイトの連携により、大手ＥＣサイトの店舗（商品カテゴリ１〜３の商品を展示）にアクセスし商品カテゴリ２の商品に興味を持ったユーザを第１連携型ＥＣサイトに誘導することができる。逆も同様であり、第１連携型ＥＣサイトにアクセスし商品カテゴリ２の商品に関する作品に興味を持ったユーザを大手ＥＣサイトの店舗に誘導することができる。第１連携型ＥＣサイトのユーザに対しては、第１個別付加サービスを提供することができ、大手ＥＣサイトのユーザに対しては、共通付加サービスを提供することができる。
【００９２】
第２連携型ＥＣサイトでは、商品カテゴリ３の商品に関する作品をＳＮＳで閲覧することができるので、大手ＥＣサイトと第２連携型ＥＣサイトの連携により、大手ＥＣサイトの店舗にアクセスし商品カテゴリ３の商品に興味を持ったユーザを第２連携型ＥＣサイトに誘導することができる。逆も同様であり、第２連携型ＥＣサイトにアクセスし商品カテゴリ３の商品に関する作品に興味を持ったユーザを大手ＥＣサイトの店舗に誘導することができる。第２連携型ＥＣサイトのユーザに対しては、第２個別付加サービスを提供することができ、大手ＥＣサイトのユーザに対しては、共通付加サービスを提供することができる。
【００９３】
図２１は、本実施の形態の第２の効果を説明するための図である。
また、本実施の形態によれば、外国の大手ＥＣサイトとの連携により、決済、物流、共通付加サービスなどのローカル化を簡単に実現できる。
【００９４】
連携型ＥＣサイトが、日本国内向け大手ＥＣサイト及び中国国内向けおおてＥＣサイトに連携する場合を想定すると、具体的には、図２１に示すようになる。
【００９５】
連携型ＥＣサイトを利用する日本国内ユーザに対しては、日本国内向け大手ＥＣサイトに連携するので、日本国内ユーザは、日本国内ユーザが一番使いやすく安心できる決済機能等を利用できる。連携型ＥＣサイトのユーザに対しては、細分化した商品向けの個別付加サービスを提供することができ、日本国内向け大手ＥＣサイトのユーザに対しては、日本国内ユーザ向けの共通付加サービスを提供することができる。
【００９６】
これに対し、連携型ＥＣサイトを利用する中国国内ユーザに対しては、中国国内向け大手ＥＣサイトに連携するので、中国国内ユーザは、中国国内ユーザが一番使いやすく安心できる決済機能等を利用できる。連携型ＥＣサイトのユーザに対しては、細分化した商品向けの個別付加サービスを提供することができ、中国国内向け大手ＥＣサイトのユーザに対しては、中国国内ユーザ向けの共通付加サービスを提供することができる。
【００９７】
図２２は、本実施の形態の第３の効果を説明するための図である。
また、本実施の形態によれば、連携型ＥＣサイトとの連携により、大手ＥＣサイトの商品が簡単に細分できて、ユーザニーズもより細分化され、細分化されたユーザニーズに最適化個別付加サービスを提供できる。
【００９８】
連携型ＥＣサイトにおいては、図２２に示すように、商品カテゴリ１の作品に興味を持ったユーザに対しては、これに特化した個別付加サービス１、２を提供し、商品カテゴリ２の作品に興味を持ったユーザに対しては、これに特化した個別付加サービス３、４を提供することができる。個別付加サービスとしては、例えば、ＳＮＳ機能、ＡＲ（Augmented Reality）機能、ＣｔｏＢ（Customer to Business）の投稿機能、ポイント機能などである。
【００９９】
図２３は、本実施の形態の第４の効果を説明するための図である。
また、本実施の形態によれば、販売管理端末１４０によるバックグランド統合管理システムの導入で、連携したマルチ大手ＥＣサイトとマルチ連携型ＥＣサイトの販売管理・運用の統一化が実現できて、統一化されたデータの統計と分析を行い、より一層精確なマーケティング分析と運営対策ができる。
【０１００】
本実施の形態において、作品は、発明１乃至３のコンテンツに対応し、ユーザＩＤは、発明１乃至３のユーザ識別情報に対応し、記憶装置４２は、発明１乃至３のユーザ識別情報記憶手段、又は発明１乃至３のコンテンツ記憶手段に対応し、ステップＳ１５６は、発明１又は３のコンテンツ取得手段に対応している。また、ステップＳ２００は、発明１又は３のコンテンツ選択手段に対応し、ステップＳ２０４は、発明１又は３の商品登録要求手段に対応し、ステップＳ２０８は、発明１又は３の決済要求手段に対応し、大手ＥＣサイトサーバ１２０は、発明１乃至３の決済システムに対応している。
【０１０１】
〔本実施の形態の応用例〕
図２４は、本実施の形態の第１の応用例を説明するための図である。図２４は、大手ＥＣサイトのカート・決済・販売機能との連携に関する応用例である。
【０１０２】
連携型スマホＥＣアプリでは、図２４に示すように、連携型ＥＣサイトの画面（左側の画面）及び大手ＥＣサイトの画面（中央の画面及び右側の画面）がシームレスに表示される。
【０１０３】
図２５は、本実施の形態の第２の応用例を説明するための図である。図２５は、販売ルート多元化と潜在ユーザの確保に関する応用例である。
【０１０４】
連携型ＥＣサイトでは、図２５に示すように、細分化した商品カテゴリの作品を多数展示する（左側の画面）。大手ＥＣサイトの店舗では、幅広い商品カテゴリの商品を多数展示する（中央の画面）。そして、連携型ＥＣサイトの作品と大手ＥＣサイトの商品に関連性を持たせることにより、連携型ＥＣサイトのユーザを大手ＥＣサイトに誘導することができ、また逆に、大手ＥＣサイトのユーザを連携型ＥＣサイトに誘導することができる。
【０１０５】
図２６は、本実施の形態の第３の応用例を説明するための図である。図２６は、決済・物流、共通付加サービスのローカル化に関する応用例である。
【０１０６】
連携型ＥＣサイトでは、図２６に示すように、大手ＥＣサイトから日本のユーザのＥＣ習慣に向け提供されているポイント、期間販売キャンペーンなど共通付加サービスを利用することができる。また、連携型ＥＣサイトでは、大手ＥＣサイトから日本のユーザのＥＣ習慣に向け提供されている決済方法・販売管理（ユーザ・配達情報など）機能を利用することができる。
【０１０７】
図２７は、本実施の形態の第４の応用例を説明するための図である。図２７は、販売商品の細分化と付加サービスによるユーザの活性化に関する応用例である。
【０１０８】
連携型ＥＣサイトでは、図２７に示すように、デザイン編集・投稿、ＳＮＳ、ロイヤリティ、ＡＲエフェクトなどの付加サービスを利用することができる。
【０１０９】
図２８は、本実施の形態の第５の応用例を説明するための図である。図２８は、販売管理・運用の統一化に関する応用例である。
【０１１０】
販売管理端末１４０では、図２８に示すように、ロイヤリティの管理及び支払いなどを行う。
【０１１１】
また、上記実施の形態及びその応用例においては、選択した作品をプリントする代表商品の登録を、その作品の作品ＩＤ及びその代表商品の商品ＩＤを含む商品情報とともに大手ＥＣサイトサーバ１２０の商品登録手段に対して要求するように構成したが（ステップＳ２０４）、これに限らず、作品ＩＤに代えて作品の画像データを送信するように構成することもできる。すなわち、ステップＳ２０４において、選択した作品をプリントする代表商品の登録を、その作品の画像データ及びその代表商品の商品ＩＤを含む商品情報とともに大手ＥＣサイトサーバ１２０の商品登録手段に対して要求する。また、作品ＩＤ又は画像データに限らず、作品に関するその他の情報（例えば、作品の画像データへのリンク情報）を送信することもできる。
【０１１２】
また、上記実施の形態及びその応用例においては、代表商品の商品ＩＤを作品管理テーブル４６０に登録したが、これに限らず、代表商品が１つの場合は、代表商品の商品ＩＤを作品管理テーブル４６０に登録せず、ステップＳ２０４で特定の商品ＩＤを送信することもできる。また、同様に作品管理テーブル４６０に登録せず、図１２の例のように、商品の属性（例えば、対象、サイズ、色）に対応する代表商品をそれぞれ登録した場合において、作品を選択するときにユーザが商品の属性（例えば、「男性用」「Ｓ」「白」）を指定すると、指定された属性に対応する代表商品の商品ＩＤを決定し、決定した商品ＩＤを送信することもできる。
【０１１３】
また、上記実施の形態及びその応用例においては、作品として画像（静止画像）を取り扱ったが、これに限らず、動画像、映像、テキスト、音楽、プログラム又はデータを作品として取り扱うこともできる。
【０１１４】
また、上記実施の形態及びその応用例において、連携型ＥＣサイトサーバ１００は、ログイン情報管理テーブル４００及び作品管理テーブル４６０を記憶装置４２に記憶し利用するように構成したが、これに限らず、インターネット１９９に接続された他のサーバ等の記憶装置にログイン情報管理テーブル４００及び作品管理テーブル４６０を記憶しておき、これを利用するように構成することもできる。
【０１１５】
また、上記実施の形態及びその応用例において、大手ＥＣサイトサーバ１２０は、商品情報管理テーブル４８０をデータベースに記憶し利用するように構成したが、これに限らず、インターネット１９９に接続された他のサーバ等のデータベースに商品情報管理テーブル４８０を記憶しておき、これを利用するように構成することもできる。
【０１１６】
また、上記実施の形態及びその応用例においては、インターネット１９９からなるネットワークシステムに適用した場合について説明したが、これに限らず、例えば、インターネット１９９と同一方式により通信を行ういわゆるイントラネットに適用してもよい。もちろん、インターネット１９９と同一方式により通信を行うネットワークに限らず、任意の通信方式のネットワークに適用することができる。
【０１１７】
また、上記実施の形態及びその応用例において、図１６乃至図１８のフローチャートに示す処理を実行するにあたってはいずれも、ＲＯＭ３２に予め格納されている制御プログラムを実行する場合について説明したが、これに限らず、これらの手順を示したプログラムが記憶された記憶媒体から、そのプログラムをＲＡＭ３４に読み込んで実行するようにしてもよい。
【０１１８】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【符号の説明】
【０１１９】
１００…連携型ＥＣサイトサーバ、  ３０…ＣＰＵ、  ３２…ＲＯＭ、  ３４…ＲＡＭ、  ３８…Ｉ／Ｆ、  ３９…バス、  ４０…入力装置、  ４２…記憶装置、  ４４…表示装置、  １２０…大手ＥＣサイトサーバ、  １４０…販売管理端末、  １９９…インターネット、  ２００…スマホ、  ２２０…中継局、  ２１０…基地局、  ４００…ログイン情報管理テーブル、  ４６０…作品管理テーブル
【要約】
開発コストを低減するのに好適な商品販売支援システムを提供する。
連携型ＥＣサイトサーバ１００は、ユーザの作品を入力し、入力した作品を、その作品に係るユーザのユーザＩＤと対応づけて作品管理テーブル４６０に登録し、ユーザの端末に対し、作品管理テーブル４６０の作品のうち他のユーザのユーザＩＤに対応する作品を表示し、作品を表示したユーザの端末からの要求に応じて、作品管理テーブル４６０の作品のなかから作品を選択し、選択した作品を適用する商品の登録を、その作品を含む商品情報とともに大手ＥＣサイトサーバ１２０に対して要求し、作品の選択要求に係るユーザの端末からの要求に応じて大手ＥＣサイトサーバ１２０に対し決済処理を要求する。【図１】
0005828146.tif 000002
【図２】
0005828146.tif 000003
【図３】
0005828146.tif 000004
【図４】
0005828146.tif 000005
【図５】
0005828146.tif 000006
【図６】
0005828146.tif 000007
【図７】
0005828146.tif 000008
【図８】
0005828146.tif 000009
【図９】
0005828146.tif 000010
【図１０】
0005828146.tif 000011
【図１１】
0005828146.tif 000012
【図１２】
0005828146.tif 000013
【図１３】
0005828146.tif 000014
【図１４】
0005828146.tif 000015
【図１５】
0005828146.tif 000016
【図１６】
0005828146.tif 000017
【図１７】
0005828146.tif 000018
【図１８】
0005828146.tif 000019
【図１９】
0005828146.tif 000020
【図２０】
0005828146.tif 000021
【図２１】
0005828146.tif 000022
【図２２】
0005828146.tif 000023
【図２３】
0005828146.tif 000024
【図２４】
0005828146.tif 000025
【図２５】
0005828146.tif 000026
【図２６】
0005828146.tif 000027
【図２７】
0005828146.tif 000028
【図２８】
0005828146.tif 000029